(57)【要約】      （修正有）【課題】初心者でも簡単にお太鼓部分を美しく作成でき、着付け終了後もお太鼓の形を美しく保持できる着物着付け用補助具を提供する。【解決手段】それぞれ可撓性及び一定強度を有して相対向する板状部材を備える。板状部材の長手方向となる各上縁８ａと各下縁８ｂとを、それぞれ貼着手段７を通じて留める。貼着手段７を通じて重ね合わされた各板状部材２・３の各右縁８ｃ及び各左縁８ｄの間には、それぞれ少なくとも仮紐６の挿通を許す程度の開口を形成可能とする。【選択図】図２
0003159223.tif 000002
【実用新案登録請求の範囲】
【請求項１】
それぞれ可撓性及び一定強度を有して相対向する板状部材２・３を備え、
板状部材２・３の長手方向となる各上縁８ａ付近と各下縁８ｂ付近とが、それぞれ貼着手段７を通じて留められており、
貼着手段７を通じて重ね合わされた各板状部材２・３の各右縁８ｃ・８ｃ及び各左縁８ｄ・８ｄの間には、それぞれ少なくとも仮紐６の挿通を許す程度の開口９・９が形成可能であることを特徴とする着物着付け用補助具。
【請求項２】
前記板状部材２・３のうち、少なくともいずれか一方の板状部材２又は３の大きさに納まるように、補強板５が介装されてなる請求項１記載の着物着付け用補助具。
【請求項３】
板状部材２・３が、一対となる同一部材で構成されており、
各板状部材２・３の長手方向の長さが２５〜２７ｃｍであり、
各板状部材２・３の短手方向の長さが１２〜１４ｃｍであり、
重ね合わされた両板状部材２・３の面積が、３００平方ｃｍ〜３３８平方ｃｍの範囲内である請求項１又は２記載の着物着付け用補助具。
【請求項４】
各上縁８ａに比して、各下縁８ｂの長さが短く形成されたことを特徴とする請求項３記載の着物着付け用補助具。
【請求項５】
各上縁８ａと各右縁８ｃ及び各左縁８ｄの間には各アール部８ｆが設けられており、
各下縁８ｄと各右縁８ｃ及び各左縁８ｄの間には各アール部８ｅが設けられており、
各アール部８ｆに比して、各アール部８ｅのコーナー角度が緩やかであることを特徴とする請求項４記載の着物着付け用補助具。
【考案の詳細な説明】
【技術分野】
【０００１】
本考案は、着付けの際にお太鼓部分を美しく作成するための着物着付け用補助具に関する。使用後もお太鼓内部に納まり、お太鼓に張りを持たせる。
「お太鼓結び」において、既に帯溜まりが作成され、帯揚げを帯枕にかけて仮結びした状態から使用する。
【背景技術】
【０００２】
「決め線」を決定し、「垂れ」をお太鼓内部に折り上げつつその長さを調節して、これを固定していくお太鼓の形成作業は、通常仮紐を使った手作業にて行われる。お太鼓結びの際、初心者が最も苦労する場面であり、熟練を要する作業でもある。そのため、上記工程を省略するための作り帯が従来より提案されている（例えば、特許文献１）。
また、着付け終了後の型崩れを防止する技術も古くから提案されており、例えば自動車運転中におけるお太鼓部分の保護具として、特許文献２が知られている。
【先行技術文献】
【特許文献】
【０００３】
【特許文献１】特開２００８−２８０６２９号公報
【特許文献２】特開２００４−５２１９９号公報
【考案の概要】
【考案が解決しようとする課題】
【０００４】
特許文献１のような作り帯は、帯の切断ないし縫着を伴うことが多く、また伝統的な着付け手法に反するとのきらいがある。
この点、フニャフニャの紐だから決め線の位置決めや垂れの折り上げ、帯との固定が難しいのであり、一定の強度ある板状部材を併用することで簡単に解決できるのではないかとの着想が、鋭意検討の末、得られた。
【０００５】
また、特許文献２におけるような外部からの保護具では持ち運びが不便であり、そもそも人目につく場所では使用困難という不利がある。お太鼓内部からの形状保持技術が切望されていたところである。
【０００６】
本考案の目的は、初心者でも簡単にお太鼓部分を美しく作成できる着物着付け用補助具を提供することにある。同時に、着付け終了後もお太鼓の形を美しく保持できる着物着付け用補助具を得るにある。
【課題を解決するための手段】
【０００７】
本考案に係る着物着付け用補助具は、それぞれ可撓性及び一定強度を有して相対向する板状部材２・３を備え、板状部材２・３の長手方向となる各上縁８ａ付近と各下縁８ｂ付近とが、それぞれ貼着手段７を通じて留められており、貼着手段７を通じて重ね合わされた各板状部材２・３の各右縁８ｃ・８ｃ及び各左縁８ｄ・８ｄの間には、それぞれ少なくとも仮紐６の挿通を許す程度の開口９・９が形成可能であることを特徴とする。
【０００８】
本考案の着物着付け用補助具によれば、各板状部材の右縁及び左縁の間に形成される開口から仮紐を通すことができ、一定強度を有する板状の部材内部では、仮紐を緊張させた状態を簡単にキープすることができる。また、板状部材の下縁が決め線位置となり、そこから垂れを折り上げていけばよいので、決め線の位置が簡単に定まり、また板に沿って垂れを容易に折り上げていくことができる。
更に、一定の強度ある板状部材であるから、別途クリップ等を用いる場合も本物品と帯とを容易に固定することができ、空いた両手で簡単に垂れをお太鼓内部へ折り上げることができる。
板状部材を可撓性を有するものとすれば、壊れにくいだけでなく、仮紐の挿通を容易にするために開口を拡げることが可能となる。
また、一定強度を有する板状部材がお太鼓内部に納まることで、着付け後においても決め線がくっきりと残り、お太鼓に張りをもたらすことができる。更には、電車やバス、自動車の背もたれに凭れてもお太鼓の形が崩れず、美しい状態を保持できる。
ここで、「各上縁８ａ付近」及び「各下縁８ｂ付近」とは、上縁８ａ及び下縁８ｂの近傍を指す他、上縁８ａ及び下縁８ｂそのものも含むものとする。
なお、仮紐６の縦幅、即ち短手方向の長さは、４５ｍｍ〜５０ｍｍ程度のものを想定している。
【０００９】
本考案の着物着付け用補助具では、前記板状部材２・３のうち、少なくともいずれか一方の板状部材２又は３の大きさに納まるように、補強板５を介装させることができる。
【００１０】
この場合、強度の増強により、決め線位置の決定、垂れの折り上げを更に容易に行うことができ、また着付け後においてもお太鼓の張りをより良く維持できる。
【００１１】
以上のような本考案に係る着物着付け用補助具においては、板状部材２・３を一対となる同一部材で構成したうえで、各板状部材２・３の長手方向の長さを２５〜２７ｃｍとし、各板状部材２・３の短手方向の長さを１２〜１４ｃｍとして、重ね合わされた両板状部材２・３の面積が、３００平方ｃｍ〜３３８平方ｃｍの範囲内になることが望ましい。
【００１２】
着付けの際における良好な使い勝手及び着付け後におけるお太鼓の形の充分な保持を得るには、各板状部材にある程度の横幅及び縦幅が要求されるところ、両板状部材を同一部材として重ね合わせたうえで、前記した数値範囲の面積が得られれば、その目的を充分に達成し得る。
なお、各板状部材２・３の長手方向の長さとは、各板状部材の左縁の端から右縁の端までのうち、最も長い部分の長さを言い、各板状部材２・３の短手方向の長さとは、各板状部材の上縁の端から下縁の端までのうち、最も長い部分の長さを言う。
【００１３】
また、本考案に係る着物着付け用補助具では、各上縁８ａに比して、各下縁８ｂの長さを短く形成してもよい。
その場合、各上縁８ａと各右縁８ｃ及び各左縁８ｄの間に各アール部８ｆを設け、各下縁８ｄと各右縁８ｃ及び各左縁８ｄの間には各アール部８ｅを設けて、各アール部８ｆに比して、各アール部８ｅのコーナー角度を緩やかに形成したものとしてもよい。
【００１４】
本着物着付け用補助具は装飾具ではなく、お太鼓を形成して帯締で締結した後、最終的には手先で隠すこととなる。しかし、本着物着付け用補助具として比較的大きなものを用いた場合には、充分に隠し切れず、外部からその形状が見え隠れする虞がある。万が一、着物着付け用補助具がお太鼓内部で位置ずれした場合も同様である。
かような場合を想定して、上縁に比して下縁の長さを短く形成しておけば、着物着付け用補助具の上部だけなら簡単に隠すことが出来、またそれで足りるので、安心である。
この場合、板状部材の四角に丸みを持たせた上で、上縁側のアール部よりも下縁側のアール部のコーナー角度を緩やかに形成すれば、故障のリスクを軽減させて長持ちさせられるだけでなく、使用勝手が向上し、また美観的にも優れる。
【考案の効果】
【００１５】
本考案に係る着物着付け用補助具を用いることで、着付けに際してのお太鼓の作成を容易に、かつ美しく行えるようになり、また、着付け後においてもお太鼓の形を美しく保つことが出来る。
【図面の簡単な説明】
【００１６】
【図１】本考案の一実施形態に係る着物着付け用補助具を示す正面図である。
【図２】仮紐を通した状態の同斜視図である。
【図３】前後方向に膨らませた状態の同斜視図である。
【図４】Ａ−Ａ線拡大断面図である。
【図５】Ｂ−Ｂ線拡大断面図である。
【図６】本考案の一実施形態に係る着物着付け用補助具の使用開始時の状態を示す模式的説明図である。
【図７】本考案の一実施形態に係る着物着付け用補助具の使用後（お太鼓内部に装着された後）の状態を示す模式的説明図である。
【考案を実施するための形態】
【実施例１】
【００１７】
図１ないし図７は、本考案の一実施形態における着物着付け用補助具１を説明するものであり、図１は着物着付け用補助具１の正面図、図２は仮紐６を通した状態を示す同斜視図である。図３は着物着付け用補助具１を前後方向に膨らませた状態の同斜視図であり、これに示すように、着物着付け用補助具１は同一の部材、形状からなる一対の板状部材２・３と、その間に介装された補強板５とからなる。
【００１８】
図１及び図４に示す如く、一対の板状部材２・３のそれぞれはプラスチックで成形したメッシュ板であり、可撓性及び一定の強度を有する。
着付け後も長時間お太鼓内部に納まるところ、メッシュ板として形成した場合には、軽量化により装着する者の疲労が予防でき、またコスト削減にもなる。
図２等に示す如く、一対の板状部材２・３の上縁８ａ付近及び下縁８ｂ付近は、間に介装させた補強板５を含め、貼着手段７を通じて一体的に留められている。貼着手段７としては、ミシン留めを用いる。
【００１９】
各板状部材２・３の周縁８は、手に持つ場合の安全性及び使用感を考慮して、布等の柔らかい部材で被覆縫製しているが、本考案の必須の構成ではない。
周縁８は、上縁８ａ、下縁８ｂ、右縁８ｃ、左縁８ｄ、上縁８ａと左右縁８ｃ・８ｄの間に設けられたアール部８ｆ・８ｆ及び下縁８ｂと左右縁８ｃ・８ｄの間に設けられたアール部８ｅ・８ｅからなる。下縁８ｂは上縁８ａに比して短く形成されており、各アール部８ｆに比して、各アール部８ｅのコーナー角度は緩やかに形成されている。
【００２０】
これにより、着付け終了後において、着物着付け用補助具１の全部を手先２３で充分に隠し切れていない場合でも外部から本物品が見えることはない。逆に言えば、着物着付け用補助具１は、外部から視認されないという条件のもと、面積が拡大すればするほど着付けの前後を問わず安定性が上がり、その使い勝手が向上するところ、下縁８ｂを上縁８ａに比して短く形成し大きめにアールを取ることで、その最大値を取ることが出来る。
具体的に、ここでの着物着付け用補助具１の大きさは、閉じた状態において縦略１３０ｍｍ（上縁上端から下縁下端までの長さ）、横略２６１ｍｍ（左縁端から右縁端までの長さ）、厚さ略２ｍｍである。上縁８ａの長さは略２２０ｍｍ、下縁８ｂの長さは略１９０ｍｍである。
なお、デザイン面への詳しい言及は避けるが、例えば周縁８に刺繍を施すこと等は自由である。
【００２１】
図３及び図５に示す如く、補強板５は、一様な厚みで矩形状に形成され、材質はＰＥである。
この補強板５の存在により、着付けの際の使用の安定性が増し、またお太鼓２０作成後もお太鼓２０により良質な張りをもたらすことができる。
板状部材２・３は可撓性及び一定強度を有することから、上縁８ａと下縁８ｂを手に持って垂直方向に圧を加えるか、又は右縁８ｃ及び左縁８ｄの各開口９・９から指を入れて両板状部材２・３をそれぞれ前後方向に拡げることで、図３に示すように着物着付け用補助具１を一時的に膨らませ、仮紐６を通し易くすることができる。
なお、前述したように、補強板５は貼着手段７によって板状部材２・３と一体的に留められており、その板状部材２・３は一対の同一部材として構成されているから、図３記載の如く開口９を前板２側に形成して、そこから仮紐６を通すか、それとも逆に開口９を後板３側に形成して仮紐６を通すかに違いはない。
【００２２】
以上の説明において、一対の板状部材２・３のそれぞれはプラスチックス製のメッシュ板であるとして説明したが、可撓性及び一定強度を備える限り、他の材質、形状でも構わないことは言うまでもない。また、同一の部材、形状とはせず、例えば一方の横幅を他方の横幅より短く形成するといった場合も本考案の範囲に含まれる。その場合、横幅の長い方に補強板５を貼り付け、該補強板５と横幅の短い方の板状部材２又は３との間で開口９を形成することが考えられる。
なお、両板状部材２・３の縦幅は略共通することが望ましいが、厳密に同じ長さである必要はない。
【００２３】
補強板５の具体的な大きさ（縦幅、横幅、厚み）も問わない。着付けの容易性のみに主眼を置くのであれば、例えば下縁８ｂから仮紐６の短手方向長さ分（凡そ４６ｍｍ）程度延伸させた矩形状とすれば足りる。一方、お太鼓２０に張りを持たせる点にも着目すれば、少なくともいずれか一方の板状部材２・３に納まる範囲内にて一定の縦幅と横幅が要求されるも、板状部材２・３と比較して、これより縦幅が短くても構わないし、横幅も本実施例記載のものより長くても短くてもよい。
また、形は長方形に限らず、例えば本実施例記載の板状部材２・３の形状に合わせる等してもよい。
【００２４】
更に、仮紐６を通す際における板状部材２・３の撓みを妨げないのであれば、材質もＰＥに限らず、他の任意の公知技術にて代替可能である。その材質如何によっては、例えば丸型の空隙を一定の規則性に従って設けて軽量化を図ったり、表面にエンボス加工の施されたようなものも本考案の補強板５の範囲に含まれる。また一様な厚みとはせず、例えば両サイド部分を中央部に比してやや肉厚に形成したり、その際に肉盗みを形成するといったことも考えられる。
要するに、お太鼓２０の作成を容易にする、あるいは着付け終了後もお太鼓２０に張りを持たせるという目的が達成可能であれば、その材質、大きさ等に制限はない。
また、補強板５の数は１つとして説明したが、形の異同を問わず、前板２と後板３にそれぞれ１つずつ貼り付けた構成としてもよいし、３つ以上設けた構成でも構わない。
【００２５】
前板２と後板３の貼着手段７としては、前記ミシン留めに限らず、溶着、接着、手縫い、ホッチキス止め、その他の任意の公知技術を用いることができる。また、上縁８ａ全部あるいは下縁８ｂ全部が連続して留められる場合だけでなく、断続的に留められる場合も含まれる。
更に、前板２と後板３の貼着手段７と、補強板５の板状部材２・３への貼着方法とを異ならせてもよいことは言うまでもない。
【００２６】
以上のような構成を有する着物着付け用補助具１について、最後に名古屋帯を使った帯結びの際のその使用方法を一例として紹介する。但し、着物着付け用補助具１の使用とは無関係な着付け工程については、説明を省略することとする。
【００２７】
図６は、本考案の一実施形態に係る着物着付け用補助具１の使用状態を示す模式的説明図であり、図７は使用後（お太鼓２１内部に装着された後）の状態を示す模式的説明図である。
既に帯溜まりが作成され、帯揚げを使って仮結びされた状態から説明を開始する。そこから、予め仮紐６を通した着物着付け用補助具１を、帯溜まりと、お太鼓２１を形成する余った帯（垂れ２１）との間で、胴に巻かれた帯と同じ位の高さ位置にセットすると、着物着付け用補助具１の下縁８ｂの下端が、ちょうど決め線位置（２４）となり、図６の状態となる。なお、着物着付け用補助具１のまえうしろは、図３に示す如く、補強板５の貼着された後板３が図６の手前位置となり、前板２が奥側の位置（着装者の目線方向）である。
【００２８】
その後、着物着付け用補助具１の前板２に沿って垂れ２１をお太鼓内部に折り上げていき、垂れ２１の長さを調節していくこととなる。その際、着物着付け用補助具１と最初に僅かに折り上げた帯とを、決め線２４の位置にて別途専用クリップ等を用いて固定しておくと、両手が空くので上記折り上げ作業が容易である。
なお、垂れ２１は、着装者の中指くらいの長さを残すのが理想とされる（図７）。
【００２９】
垂れ２１の長さを整え、お太鼓２０の形が定まったところで、仮紐６を使って仮結びを行う。そして、腹部に預けておいた手先２３を着物着付け用補助具１が隠れるようにお太鼓２０内部に挿入する。その後、帯締２２にて、手先２３と着物着付け用補助具１とを締結固定したうえで、お太鼓２０の形が崩れないよう片手で押さえながらもう一方の手で仮紐６を抜き取ると、図７の完成状態となる。
なお、図７において、お太鼓２０内部に折り上げた垂れ２１からの帯は、説明の便宜のため図示を省略している。
【００３０】
図７に示す如く、手先２３にて着物着付け用補助具１全体が充分に隠し切れない場合があっても、上縁８ａに比べて下縁８ｂの長さを短く形成してあるだけで、手先２３と帯溜まり又は折り上げられた帯との隙間から着物着付け用補助具１が見えることはない。
【００３１】
以上見たように、本考案に係る着物着付け用補助具１によれば、着付け初心者でもお太鼓部分の作成を容易に、かつ、美しく行える。また、着付け後においても、お太鼓に張りを持たせることができる。
【符号の説明】
【００３２】
１      着物着付け用補助具
２      前板（板状部材）
３      後板（板状部材）
５      補強板
６      仮紐
７      貼着手段
８      周縁
８ａ    上縁
８ｂ    下縁
８ｃ    右縁
８ｄ    左縁
８ｅ    アール部
８ｆ    アール部
９      開口
２０    お太鼓
２１    垂れ
２２    帯締
２３    手先
２４    決め線
【図１】
0003159223.tif 000003
【図２】
0003159223.tif 000004
【図３】
0003159223.tif 000005
【図４】
0003159223.tif 000006
【図５】
0003159223.tif 000007
【図６】
0003159223.tif 000008
【図７】
0003159223.tif 000009